(57)【要約】【課題】画像形成装置の軸線方向の小型化を図ることができる感光体カートリッジを提供すること。【解決手段】ドラムカートリッジ１に、静電潜像が形成される表面を有する感光ドラム３と、感光ドラム３を除電するための光Ｌを、光源９０から感光ドラム３の表面に導くライトガイド７とを備える。ライトガイド７に、左右方向と交差する第１方向Ｘへ延び、光源９０からの光Ｌを入射される第１部分７０と、左右方向に延び、感光ドラム３と向かい合うように配置される第２部分７１と、第１部分７０と第２部分７１との間において、第１部分７０を通過した光Ｌを、第２部分７１に導くように光Ｌの進む方向を変更する光路変換面７２とを備える。【選択図】図８
2015200864.tif 000002
【特許請求の範囲】
【請求項１】
静電潜像が形成されるように構成される表面を有する感光ドラムと、
前記感光ドラムを除電するための光を、画像形成装置に設けられる光源から前記感光ドラムの表面に導くように構成される導光部材と、を備え、
前記導光部材は、
前記感光ドラムの軸線に平行な軸線方向と交差する方向へ延び、前記光源からの光を入射されるように構成される第１部分と、
前記軸線方向に延び、前記感光ドラムと向かい合うように配置される第２部分と、
前記第１部分と前記第２部分との間において、前記第１部分を通過した光を、前記第２部分に導くように光の進む方向を変更するように構成される第３部分とを有することを特徴とする、感光体カートリッジ。
【請求項２】
前記第１部分と前記第２部分とは、略直交するように構成されることを特徴とする、請求項１に記載の感光体カートリッジ。
【請求項３】
前記感光ドラムの表面は、静電潜像を担持するように構成される画像形成領域を有し、
前記第１部分および前記第３部分は、前記画像形成領域よりも前記軸線方向の外方に配置されていることを特徴とする、請求項１または２に記載の感光体カートリッジ。
【請求項４】
前記第３部分は、前記軸線方向に対して略４５°傾斜する傾斜面を有することを特徴とする、請求項１〜３のいずれか一項に記載の感光体カートリッジ。
【請求項５】
前記第２部分は、
前記感光ドラムの表面と対向し、前記第２部分内の光が透過するように構成される透過部と、
前記透過部に対して前記感光ドラムの反対に配置され、前記第２部分内の光を前記透過部に向かって反射させるように構成される粗面部を有する背面部とを有していることを特徴とする、請求項１〜４のいずれか一項に記載の感光体カートリッジ。
【請求項６】
前記透過部は、前記感光ドラムに向かって突出する曲面であることを特徴とする、請求項５に記載の感光体カートリッジ。
【請求項７】
前記背面部は、平坦状であることを特徴とする、請求項５または６に感光体カートリッジ。
【請求項８】
前記粗面部は、
前記軸線方向の一方から他方に向かうにつれて、前記軸線方向と直交する直交方向の寸法が増大する漸増部分と、
前記漸増部分に対して前記軸線方向に並ぶように配置される漸減部分であって、前記軸線方向の一方から他方に向かうにつれて、前記直交方向の寸法が減少する漸減部分と、を有していることを特徴とする、請求項５〜７のいずれか一項に感光体カートリッジ。
【請求項９】
前記粗面部は、前記軸線方向において表面粗さが異なる粗面であることを特徴とする、請求項５〜８のいずれか一項に感光体カートリッジ。
【請求項１０】
前記背面部に対して前記感光ドラムの反対に配置され、前記導光部材の前記粗面部で反射されずに通過した光を、前記導光部材へ向けて反射するように構成される反射部を備えていることを特徴とする、請求項５〜９のいずれか一項に記載の感光体カートリッジ。
【請求項１１】
前記第２部分を収容するとともに、前記感光ドラムに向かって開放されるカバーであって、前記反射部を有するカバーと、
前記反射部から、前記第２部分を覆うように前記感光ドラムに向かって突出する被覆部とを有していることを特徴とする、請求項１０に記載の感光体カートリッジ。
【請求項１２】
前記カバーは、不透明であり、かつ、光を反射する色を有していることを特徴とする、請求項１１に記載の感光体カートリッジ。
【請求項１３】
前記感光ドラムの周面に付着する付着物を除去するように構成されるクリーニング部材と、
前記クリーニング部材を支持するクリーニングフレームとを備え、
前記カバーは、前記クリーニングフレームの一部であることを特徴とする、請求項１１または１２に記載の感光体カートリッジ。
【請求項１４】
前記第３部分は、前記クリーニングフレームよりも前記軸線方向の外方に配置されていることを特徴とする、請求項１３に記載の感光体カートリッジ。
【請求項１５】
前記感光ドラムを収容するドラムフレームを備え、
前記クリーニングフレームおよび前記第３部分は、前記ドラムフレーム内に配置されていることを特徴とする、請求項１３または１４に記載の感光体カートリッジ。
【請求項１６】
前記感光ドラムの表面は、静電潜像を担持するように構成される画像形成領域を有し、
前記第１部分は、前記画像形成領域に対して前記軸線方向の一方に配置され、
前記感光ドラムは、前記画像形成領域に対して前記軸線方向の他方に配置され、外部からの駆動力を受けるように構成される駆動受け部を備えていることを特徴とする、請求項１〜１５のいずれか一項に記載の感光体カートリッジ。
【請求項１７】
外部からバイアスが供給されるように構成される電極部材を備え、
前記感光ドラムの表面は、静電潜像を担持するように構成される画像形成領域を有し、
前記電極部材および前記第１部分のそれぞれは、前記画像形成領域に対して前記軸線方向の一方に配置されていることを特徴とする、請求項１〜１６のいずれか一項に記載の感光体カートリッジ。
【請求項１８】
前記感光ドラムおよび前記導光部材を収容するドラムフレームを備え、
前記ドラムフレームは、
前記第１部分の延びる方向において、前記第１部分と向かい合う開口と、
前記第１部分と係合する係合部と、を備えていることを特徴とする、請求項１〜１７のいずれか一項に記載の感光体カートリッジ。
【請求項１９】
前記係合部は、前記軸線方向に互いに間隔を空けて配置される第１係合部および第２係合部を備え、
前記第１係合部および前記第２係合部は、それらの間に前記第１部分を挟んでいることを特徴とする、請求項１８に記載の感光体カートリッジ。
【発明の詳細な説明】
【技術分野】
【０００１】
本発明は、電子写真方式が採用される画像形成装置に装着される感光体カートリッジに関する。
【背景技術】
【０００２】
従来の電子写真方式の画像形成装置として、感光ドラムおよび帯電器を備えるドラムユニットと、現像ローラを備え、ドラムユニットに装着される現像カートリッジと、感光ドラムを露光する露光器とを備えるプリンタが知られている。
【０００３】
このようなプリンタでは、帯電器が感光ドラムの表面を帯電させた後、露光器が感光ドラムの表面の電荷を選択的に除去して、感光ドラムの表面に静電潜像を形成し、現像ローラが、感光ドラムの静電潜像にトナーを供給して、感光ドラムの表面にトナー像を形成する。そして、感光ドラムの表面のトナー像が、用紙に転写されることにより、用紙に画像が形成される。
【０００４】
しかるに、トナー像が用紙に転写された後において、感光ドラムの表面に残留する電荷は、次に感光ドラムの表面に形成される静電潜像に影響する場合があり、それに起因する画像形成不良が生じる場合がある。そこで、感光ドラムの表面から電荷を除去することが検討されている。
【０００５】
例えば、感光ドラムと向かい合うようにドラムユニットに支持され、左右方向に延びる棒状のライトガイドと、ライトガイドの右方に配置される光源とを備えるプリンタが提案されている（例えば、特許文献１参照）。
【０００６】
そのようなプリンタでは、光源からの光が、ライトガイドの右端面から入射された後、ライトガイドに導かれて、感光ドラムの表面を照射する。これによって、感光ドラムの表面から残留電荷が除去される。
【先行技術文献】
【特許文献】
【０００７】
【特許文献１】特開２０１１−２２７４２５号公報
【発明の概要】
【発明が解決しようとする課題】
【０００８】
しかし、特許文献１に記載のプリンタでは、光源からの光がライトガイドの右端面から入射されるので、光源とライトガイドとを左右方向に並ぶように配置する必要がある。そのため、プリンタの左右方向の小型化を図るには限度がある。
【０００９】
そこで、本発明の目的は、画像形成装置の軸線方向の小型化を図ることができる感光体カートリッジを提供することにある。
【課題を解決するための手段】
【００１０】
（１）本発明の感光体カートリッジは、静電潜像が形成されるように構成される表面を有する感光ドラムと、感光ドラムを除電するための光を、画像形成装置に設けられる光源から感光ドラムの表面に導くように構成される導光部材とを備えている。導光部材は、感光ドラムの軸線に平行な軸線方向と交差する方向へ延び、光源からの光を入射されるように構成される第１部分と、軸線方向に延び、感光ドラムと向かい合うように配置される第２部分と、第１部分と第２部分との間において、第１部分を通過した光を、第２部分に導くように光の進む方向を変更するように構成される第３部分とを有している。
【００１１】
このような構成によれば、導光部材の第１部分は、光源から入射された光を軸線方向と交差する方向へ進むように導き、導光部材の第３部分は、第１部分を通過した光を、第２部分に向かうように、光の進む方向を変更する。その後、導光部材の第２部分は、その内部を進行する光を感光ドラムの表面に導き、感光ドラムの表面の電荷が除去される。
【００１２】
つまり、導光部材の第１部分と光源とを軸線方向と交差する方向に並ぶように配置することにより、感光ドラムの表面の電荷を除去できる。
【００１３】
そのため、導光部材と光源とを軸線方向に並ぶように配置する必要がないので、画像形成装置の軸線方向の小型化を図ることができる。
（２）第１部分と第２部分とは、略直交するように構成されていてもよい。
【００１４】
このような構成によれば、第１部分と第２部分とは略直交しているので、第１部分と光源とを軸線方向と直交する方向に並ぶように配置することにより、画像形成装置の軸線方向の小型化を確実に図ることができる。
（３）感光ドラムの表面は、静電潜像を担持するように構成される画像形成領域を有していてもよい。この場合、第１部分および第３部分は、画像形成領域よりも軸線方向の外方に配置されている。
【００１５】
このような構成によれば、第１部分および第３部分が、画像形成領域よりも軸線方向の外方に配置されているので、第１部分および第３部分が、静電潜像の形成の邪魔になることを低減できる。
（４）第３部分は、軸線方向に対して略４５°傾斜する傾斜面を有していてもよい。
【００１６】
このような構成によれば、第３部分が軸線方向に対して略４５°傾斜する傾斜面を有しているので、傾斜面は、第１部分を通過した光の進む方向を、第２部分に向かうように確実に変更できる。
（５）第２部分は、感光ドラムの表面と対向し、第２部分内の光が透過するように構成される透過部と、透過部に対して感光ドラムの反対に配置され、第２部分内の光を透過部に向かって反射させるように構成される粗面部を有する背面部とを有していてもよい。
【００１７】
このような構成によれば、第２部分が、透過部および背面部を有しているので、第２部分に導かれた光は、背面部の粗面部により、感光ドラムに向かって反射された後、透過部を透過し、感光ドラムの表面を照射する。そのため、光源からの光を、確実に感光ドラムの表面に導くことができる。
（６）透過部は、感光ドラムに向かって突出する曲面であってもよい。
【００１８】
このような構成によれば、透過部が感光ドラムに向かって突出する曲面であるので、第２部分の内部から透過部を透過する光は、透過部で一様に屈曲する。そのため、光を感光ドラムの表面に均一に照射することができる。
（７）背面部は、平坦状であってもよい。
【００１９】
このような構成によれば、背面部が平坦状であるので、背面部が有する粗面部が、第２部分内の光を確実に感光ドラムに向かって反射させることができる。
（８）粗面部は、軸線方向の一方から他方に向かうにつれて、軸線方向と直交する直交方向の寸法が増大する漸増部分と、漸増部分に対して軸線方向に並ぶように配置される漸減部分であって、軸線方向の一方から他方に向かうにつれて、直交方向の寸法が減少する漸減部分と、を有していてもよい。
【００２０】
しかるに、粗面部により反射される光の光量は、粗面部の表面粗さおよび粗面部の直交方向の寸法に依存する。
【００２１】
この点、上記の構成によれば、粗面部が漸増部分および漸減部分を有しているので、軸線方向において、粗面部の直交方向の寸法を変更することができる。そのため、軸線方向において、粗面部による反射光量を適宜調整することができる。
（９）粗面部は、軸線方向において表面粗さが異なる粗面であってもよい。
【００２２】
このような構成によれば、粗面部は軸線方向において表面粗さが異なるので、軸線方向において、粗面部による反射光量をより一層確実に調整することができる。
（１０）感光体カートリッジは、背面部に対して感光ドラムの反対に配置され、導光部材の粗面部で反射されずに通過した光を、導光部材へ向けて反射するように構成される反射部を備えていてもよい。
【００２３】
このような構成によれば、反射部が背面部に対して感光ドラムの反対に配置されているので、反射部は、導光部材の粗面部で反射されずに通過した光を、導光部材内へ向けて反射する。そのため、第２部分において透過部以外の部分を、光が透過することを抑制でき、第２部分から感光ドラムの表面に照射される光の光量の向上を図ることができる。
（１１）感光体カートリッジは、第２部分を収容するとともに、感光ドラムに向かって開放されるカバーであって、反射部を有するカバーと、反射部から、第２部分を覆うように感光ドラムに向かって突出する被覆部とを有している。
【００２４】
このような構成によれば、被覆部が第２部分を覆っているので、第２部分において透過部以外の部分を、光が通過することを確実に抑制できる。
（１２）カバーは、不透明であり、かつ、光を反射する色を有していてもよい。
【００２５】
このような構成によれば、カバーが、不透明であり、かつ、光を反射する色を有しているので、カバーに備えられる反射部は、背面部を通過した光を導光部材内へ確実に反射することができる。
（１３）感光体カートリッジは、感光ドラムの周面に付着する付着物を除去するように構成されるクリーニング部材と、クリーニング部材を支持するクリーニングフレームとを備えていてもよい。この場合、カバーは、クリーニングフレームの一部である。
【００２６】
このような構成によれば、感光体カートリッジが、クリーニング部材を備えるので、感光ドラムの周面に付着する付着物を除去することができる。また、カバーは、クリーニングフレームの一部であるので、導光部材の第２部分は、クリーニングフレームの一部に収容されている。
【００２７】
ここで、クリーニング部材は、感光ドラムの周面に付着する付着物を除去するために、感光ドラムの近傍に配置する必要があり、導光部材の第２部材は、感光ドラムの電荷を除去するために、感光ドラムの近傍に配置する必要がある。
【００２８】
そのため、クリーニング部材を支持するクリーニングフレームに、導光部材の第２部分を収容させることにより、クリーニング部材および導光部材の第２部分のそれぞれを、確実に感光ドラムの近傍に配置することができ、クリーニング部材および導光部材の第２部分の効率的な配置を確保することができる。
（１４）第３部分は、クリーニングフレームよりも軸線方向の外方に配置されていてもよい。
【００２９】
このような構成によれば、第３部分が、クリーニングフレームよりも軸線方向の外方に配置されているので、クリーニングフレームよりも軸線方向の外方において、第１部分を通過した光の進む方向を変更することができる。そのため、第１部分の配置の自由度の向上を図ることができる。
（１５）感光体カートリッジは、感光ドラムを収容するドラムフレームを備えていてもよい。この場合、クリーニングフレームおよび第３部分は、ドラムフレーム内に配置されている。
【００３０】
このような構成によれば、クリーニングフレームがドラムフレーム内に配置されているので、ドラムフレームに収容される感光ドラムと、クリーニングフレームに支持されるクリーニング部材および導光部材の第２部分のそれぞれとの相対的な位置決め精度の向上を図ることができる。
【００３１】
また、導光部材の第３部分がドラムフレーム内に配置されているので、ドラムフレーム内のスペースを有効に利用でき、第３部分の効率的な配置を確保することができる。
（１６）感光ドラムの表面は、静電潜像を担持するように構成される画像形成領域を有していてもよい。第１部分は、画像形成領域に対して軸線方向の一方に配置され、感光ドラムは、画像形成領域に対して軸線方向の他方に配置され、外部からの駆動力を受けるように構成される駆動受け部を備えていてもよい。
【００３２】
このような構成によれば、導光部材の第１部分が、画像形成領域に対して軸線方向の一方に配置され、駆動受け部が、画像形成領域に対して軸線方向の他方に配置されているので、第１部分および駆動受け部のそれぞれを、軸線方向において、画像形成領域を挟むように配置できる。そのため、第１部分および駆動受け部のそれぞれを、軸線方向においてバランスよく配置できる。
（１７）感光体カートリッジは、外部からバイアスが供給されるように構成される電極部材を備えていてもよい。感光ドラムの表面は、静電潜像を担持するように構成される画像形成領域を有していてもよい。この場合、電極部材および第１部分のそれぞれは、画像形成領域に対して軸線方向の一方に配置されている。
【００３３】
このような構成によれば、電極部材および第１部分のそれぞれが、画像形成領域に対して軸線方向の一方に配置されているので、電極部材と第１部分との相対的な位置精度の向上を図ることができる。
【００３４】
ここで、電極部材には、外部からバイアスが供給され、第１部分には、光源から光が入射されるので、電極部材および第１部分のそれぞれの相対的な位置精度の向上を図ることにより、電極部材と外部との相対的な位置決め精度、および、第１部分と光源との位置決め精度のそれぞれの向上を図ることができる。そのため、電極部材が外部からバイアスを確実に受けることができるとともに、第１部分が光源から光を確実に受け入れることができる。
（１８）感光体カートリッジは、感光ドラムおよび導光部材を収容するドラムフレームを備え、ドラムフレームは、第１部分の延びる方向において、第１部分と向かい合う開口と、第１部分と係合する係合部とを備えていてもよい。
【００３５】
このような構成によれば、ドラムフレームが開口および係合部を備え、係合部が第１部分に係合するので、第１部分の開口に対する位置精度の向上を図ることができる。そのため、光源からの光を、開口を介して、第１部分に確実に入射させることができる。
（１９）係合部は、軸線方向に互いに間隔を空けて配置される第１係合部および第２係合部を備え、第１係合部および第２係合部は、それらの間に第１部分を挟んでいてもよい。
【００３６】
このような構成によれば、第１係合部および第２係合部が、第１部分を軸線方向に挟んでいるので、軸線方向において、第１部分の開口に対する位置精度のさらなる向上を図ることができる。
【発明の効果】
【００３７】
本発明の感光体カートリッジでは、画像形成装置の軸線方向の小型化を図ることができる。
【図面の簡単な説明】
【００３８】
【図１】図１は、本発明の感光体カートリッジの第１実施形態としてのドラムカートリッジの斜視図を示す。
【図２】図２は、図１に示すドラムカートリッジの中央断面図である。
【図３】図３は、図１に示すドラムカートリッジが使用されるプリンタの中央断面図である。
【図４】図４は、図２に示すクリーニングユニットおよびライトガイドを、前下方から見た斜視図である。
【図５】図５Ａは、図４に示すライトガイドの背面図である。図５Ｂは、図５Ａに示すライトガイドの断面図である。
【図６】図６は、図１に示すドラムカートリッジの背面図である。
【図７】図７Ａは、図６に示すＡ−Ａ断面図である。図７Ｂは、図７Ａに示すドラムカートリッジおよび光源の右側面図である。
【図８】図８は、図７Ａに示す感光ドラム、ライトガイドおよび発光ユニットを後上方から見た斜視図である。
【図９】図９Ａは、本発明の第１の変形例に係るライトガイドおよびライトガイドカバーを前下方から見た斜視図である。図９Ｂは、図９Ａに示すライトガイドおよびライトガイドカバーの中央断面図である。
【図１０】図１０は、本発明の感光体カートリッジの第２実施形態に係る、ライトガイドの背面図である。
【図１１】図１１は、本発明の感光体カートリッジの第２実施形態に係る、ドラムフレーム（帯電収容部を除いた状態）を左上から見た斜視図である。
【図１２】図１２Ａは、図１０に示すライトガイドがドラムフレームに収容された状態を左上方から見た斜視図である。図１２Ｂは、図１２Ａに示すライトガイドおよび係合部の断面図である。
【発明を実施するための形態】
【００３９】
１．ドラムカートリッジの概略
感光体カートリッジの一例としてのドラムカートリッジ１は、図１および図２に示すように、ドラムフレーム２と、感光ドラム３と、転写ローラ４と、スコロトロン型帯電器５と、クリーニングユニット５０と、導光部材の一例としてのライトガイド７とを備えている。
【００４０】
なお、以下の説明において、ドラムカートリッジ１の方向に言及するときには、感光ドラム３が配置されている側を、ドラムカートリッジ１の後方とし、その反対をドラムカートリッジ１の前方とする。また、ドラムカートリッジ１を前方から見たときを基準として左右を規定する。具体的には、各図に示す方向矢印を基準とする。
【００４１】
また、左右方向が軸線方向の一例であり、右方が、軸線方向の一方の一例であり、左方が、軸線方向の他方の一例である。上下方向が直交方向の一例であり、上方が、直交方向の一方の一例であり、下方が、直交方向の他方の一例である。
【００４２】
ドラムフレーム２は、図１に示すように、平面視略矩形の有底枠形状を有している。
【００４３】
感光ドラム３は、図２に示すように、ドラムフレーム２の後端部に回転可能に支持されている。転写ローラ４は、感光ドラム３の下方に配置されている。転写ローラ４の上端部は、感光ドラム３の下端部と接触している。スコロトロン型帯電器５は、感光ドラム３の上方において、感光ドラム３と間隔を空けて配置されている。
【００４４】
クリーニングユニット５０は、感光ドラム３の後方に配置されており、クリーニング部材の一例としてのクリーニングローラ６を備えている。
【００４５】
クリーニングローラ６は、感光ドラム３の周面に付着する付着物を除去するように構成され、クリーニングユニット５０の前端部に配置されている。クリーニングローラ６の前下端部は、感光ドラム３の後上端部と接触している。
【００４６】
ライトガイド７は、感光ドラム３を除電するための光を、後述する光源９０から感光ドラム３の表面に導くように構成されている。ライトガイド７は、クリーニングローラ６の下方において、感光ドラム３の後方に間隔を空けて配置されている。
【００４７】
２．ドラムカートリッジの使用態様
（１）プリンタの概略
ドラムカートリッジ１は、図３に示すように、画像形成装置の一例としてのプリンタ１１に装着されて使用される。
【００４８】
プリンタ１１は、電子写真方式のモノクロプリンタである。プリンタ１１は、装置本体１２と、プロセスカートリッジ１３と、スキャナユニット１４と、定着ユニット１５とを備えている。
【００４９】
装置本体１２は、略ボックス形状を有している。装置本体１２は、開口部１６と、フロントカバー１７と、給紙トレイ１８と、排紙トレイ１９とを有している。
【００５０】
開口部１６は、装置本体１２の前端部に配置されている。開口部１６は、プロセスカートリッジ１３の通過を許容するように、装置本体１２の内外を前後方向に連通している。
【００５１】
フロントカバー１７は、装置本体１２の前端部に配置されている。フロントカバー１７は、略平板形状を有している。フロントカバー１７は、上下方向に延び、その下端部を支点として装置本体１２の前壁に揺動可能に支持されている。フロントカバー１７は、開口部１６を開閉可能である。
【００５２】
給紙トレイ１８は、装置本体１２の底部に配置されている。給紙トレイ１８は、上方に向かって開放される略ボックス形状を有しており、用紙Ｐを収容可能である。
【００５３】
排紙トレイ１９は、装置本体１２の上面の前後方向略中央に配置されている。排紙トレイ１９は、用紙Ｐが載置されるように、装置本体１２の上面から下方へ凹んでいる。
【００５４】
プロセスカートリッジ１３は、開口部１６を介して装置本体１２に対して着脱可能であり、装置本体１２に装着された状態で、装置本体１２の側面視略中央に配置されている。プロセスカートリッジ１３は、上記したドラムカートリッジ１と、現像カートリッジ２０とを備えている。
【００５５】
現像カートリッジ２０は、ドラムカートリッジ１に着脱可能であって、ドラムカートリッジ１に装着された状態において、感光ドラム３の前方に配置される。現像カートリッジ２０は、現像ローラ２１と、供給ローラ２２と、層厚規制ブレード２３と、トナー収容部２４とを備えている。
【００５６】
現像ローラ２１は、現像カートリッジ２０の後端部に回転可能に支持されている。現像ローラ２１は、左右方向に延びる略円柱形状を有している。現像ローラ２１は、感光ドラム３の前端部に接触している。
【００５７】
供給ローラ２２は、現像ローラ２１の前下方に配置されている。供給ローラ２２は、左右方向に延びる略円柱形状を有し、現像カートリッジ２０に回転可能に支持されている。供給ローラ２２の後上端部は、現像ローラ２１の前下端部に接触している。
【００５８】
層厚規制ブレード２３は、現像ローラ２１の前上方に配置されている。層厚規制ブレード２３は、現像ローラ２１の前端部に接触している。
【００５９】
トナー収容部２４は、供給ローラ２２および層厚規制ブレード２３の前方に配置されている。トナー収容部２４は、トナーを収容するように構成されている。
【００６０】
スキャナユニット１４は、プロセスカートリッジ１３の上方に配置されている。スキャナユニット１４は、感光ドラム３に向けて画像データに基づくレーザービームを出射するように構成されている。
【００６１】
定着ユニット１５は、プロセスカートリッジ１３の後方に配置されている。定着ユニット１５は、加熱ローラ２６と、加圧ローラ２７とを備えている。加圧ローラ２７は、加熱ローラ２６の下方に配置され、加圧ローラ２７の上端部は、加熱ローラ２６の下端部に圧接されている。
【００６２】
（２）画像形成動作
プリンタ１１が、図示しない制御部の制御により、画像形成動作を開始すると、スコロトロン型帯電器５は、感光ドラム３の表面を一様に帯電する。スキャナユニット１４は、感光ドラム３の表面を露光する。これにより、画像データに基づく静電潜像が、感光ドラム３の表面の後述する画像形成領域Ｔに形成され、担持される。
【００６３】
供給ローラ２２は、トナー収容部２４内のトナーを現像ローラ２１に供給する。このとき、トナーは、現像ローラ２１と供給ローラ２２との間で正極性に摩擦帯電され、現像ローラ２１に担持される。層厚規制ブレード２３は、現像ローラ２１に担持されたトナーの層厚を一定厚さに規制する。
【００６４】
そして、現像ローラ２１に担持されたトナーは、感光ドラム３表面の静電潜像に供給される。これにより、トナー像が、感光ドラム３の表面に担持される。
【００６５】
用紙Ｐは、給紙トレイ１８から、各種ローラの回転により、所定のタイミングで１枚ずつ、感光ドラム３と転写ローラ４との間に給紙される。
【００６６】
感光ドラム３表面のトナー像は、用紙Ｐが感光ドラム３と転写ローラ４との間を通過するときに、用紙Ｐに転写される。
【００６７】
その後、用紙Ｐは、加熱ローラ２６と加圧ローラ２７との間を通過するときに加熱および加圧される。これにより、用紙Ｐ上のトナー像は、用紙Ｐに熱定着される。その後、用紙Ｐは、排紙トレイ１９に排紙される。
【００６８】
３．ドラムカートリッジの詳細
（１）ドラムフレーム
ドラムフレーム２は、図１、図２および図６に示すように、１対のドラム側壁３０と、ドラム前壁３１と、ドラム底壁３２と、転写収容部３３と、帯電収容部３４と、クリーナー収容部３５と、１対のリブ３８とを備えている。
【００６９】
１対のドラム側壁３０は、図２に示すように、ドラムフレーム２の左右両端部であって、左右方向に互いに間隔を空けて向かい合っている。１対のドラム側壁３０のそれぞれは、前後方向に延びる側面視略矩形の板状を有している。
【００７０】
１対のドラム側壁３０のうち、右方のドラム側壁３０は、図７Ｂに示すように、２つの電極露出穴４６を有している。２つの電極露出穴４６は、右方のドラム側壁３０における後端部に配置されており、前下方および後上方を結ぶ方向に互いに間隔を空けて配置されている。電極露出穴４６は、上方に向かうにつれて幅狭となる側面視略雫形状を有しており、右方のドラム側壁３０を左右方向に貫通している。
【００７１】
ドラム前壁３１は、図２に示すように、ドラムフレーム２の前端部であって、１対のドラム側壁３０の前端部間に架設されている。ドラム底壁３２は、ドラムフレーム２の下端部であって、１対のドラム側壁３０の前方部分の下端部間に架設されている。ドラム底壁３２の前端部は、ドラム前壁３１の下端部に接続されている。
【００７２】
転写収容部３３は、ドラム底壁３２に対して後方に間隔を空けて配置されている。転写収容部３３は、上方に向かって開放される側面視略Ｕ字状を有しており、左右方向に延びている。転写収容部３３の左右両端部は、１対のドラム側壁３０の後方部分の下端部に接続されている。
【００７３】
帯電収容部３４は、転写収容部３３の上方に間隔を空けて配置されている。帯電収容部３４は、下方に向かって開放される側面視略Ｕ字状を有しており、左右方向に延びている。帯電収容部３４の左右両端部は、１対のドラム側壁３０の後方部分の上端部に接続されている。
【００７４】
クリーナー収容部３５は、ドラムフレーム２の後端部であって、帯電収容部３４の後下方に隣接配置されている。クリーナー収容部３５は、前方に向かって開放される側面視略Ｕ字状を有しており、左右方向に延びている。クリーナー収容部３５の左右両端部は、１対のドラム側壁３０の後端部に接続されている。
【００７５】
また、クリーナー収容部３５は、図２および図６に示すように、収容部底壁３６を有している。収容部底壁３６は、クリーナー収容部３５の下端部であって、左右方向に延びる略板状を有している。詳しくは、収容部底壁３６は、平板部３６Ａと、傾斜部３６Ｂとを有している。
【００７６】
平板部３６Ａは、収容部底壁３６における右端部以外の部分であって、前後方向に沿って延びている。
【００７７】
傾斜部３６Ｂは、収容部底壁３６における右端部であって、図７Ａに示すように、前下方および後上方を結ぶ方向に延びている。傾斜部３６Ｂの右端部は、１対のドラム側壁３０のうち右方のドラム側壁３０の後下端部に接続されている。また、傾斜部３６Ｂは、開口３７を有している。
【００７８】
開口３７は、図６および図７Ａに示すように、傾斜部３６Ｂの略中央に配置されている。開口３７は、後下方から見て略矩形状を有しており、傾斜部３６Ｂを前上方および後下方を結ぶ方向に貫通している。
【００７９】
１対のリブ３８は、図６に示すように、ドラムフレーム２の後下端部における右端部に配置されており、開口３７を挟むように、左右方向に互いに間隔を空けて配置されている。１対のリブ３８のそれぞれは、図７Ｂに示すように、側面視略矩形の板状を有している。１対のリブ３８のうち、右方のリブ３８は、右方のドラム側壁３０と一体であって、右方のドラム側壁３０の後下端部から連続して、後下方に向かって突出している。また、１対のリブ３８のうち、左方のリブ３８は、図６に示すように、右方のリブ３８に対して、左方に間隔を空けて配置され、傾斜部３６Ｂの下面における左端部から、後下方に向かって突出している。
（２）感光ドラム、転写ローラおよびスコロトロン型帯電器
また、ドラムフレーム２は、図２に示すように、１対のドラム側壁３０の間において、感光ドラム３、転写ローラ４、スコロトロン型帯電器５およびクリーニングユニット５０を支持している。
【００８０】
感光ドラム３は、クリーナー収容部３５の前方において、転写収容部３３と帯電収容部３４との間に配置されている。これにより、感光ドラム３は、ドラムフレーム２に収容されている。
【００８１】
感光ドラム３は、図２および図８に示すように、ドラム本体４０と、１対のフランジ部４１と、ドラム軸４３とを備えている。
【００８２】
ドラム本体４０は、左右方向に延びる略円筒状の金属からなる素管と、素管の周面を被覆する感光層とを有している。また、ドラム本体４０の周面は、１対の非画像形成領域Ｔ２と、画像形成領域Ｔ１とを備えている。
【００８３】
１対の非画像形成領域Ｔ２は、ドラム本体４０の周面における左右両端部であり、画像形成領域Ｔ１は、ドラム本体４０の周面における１対の非画像形成領域Ｔ２の間の部分である。画像形成領域Ｔ１は、一定厚みの感光層からなり、上記の画像形成動作において、静電潜像が形成される。
【００８４】
１対のフランジ部４１のそれぞれは、左右方向に延びる略円柱形状を有しており、ドラム本体４０の左右両端部のそれぞれに相対回転不能に嵌っている。
【００８５】
詳しくは、１対のフランジ部４１のうち、右方のフランジ部４１Ｒは、ドラム本体４０の右端部に相対回転不能に嵌っており、左方のフランジ部４１Ｌは、ドラム本体４０の左端部に相対回転不能に嵌っている。また、１対のフランジ部４１のうち、左方のフランジ部４１Ｌは、係合凹部４２を有している。
【００８６】
係合凹部４２は、左方のフランジ部４１Ｌの左面の径方向中央に配置されている。係合凹部４２は、側面視略円形を有しており、右方に向かって凹んでいる。係合凹部４２の内周面は、その全周にわたってギア歯を有している。これによって、左方のフランジ部４１Ｌは、装置本体１２が備える図示しない駆動源からの駆動力を受けるように構成されている。つまり、左方のフランジ部４１Ｌは、駆動受け部の一例として作用し、画像形成領域Ｔ１に対して左方に配置されている。
【００８７】
ドラム軸４３は、図１および図２に示すように、左右方向に延びる略円柱形状を有している。ドラム軸４３の左右方向の寸法は、ドラム本体４０の左右方向の寸法よりも大きい。ドラム軸４３は、ドラム本体４０と中心軸線を共有するように、ドラム本体４０内に挿通されている。また、ドラム軸４３の左右両端部のそれぞれは、１対のフランジ部４１のそれぞれを相対回転可能に貫通しており、１対のフランジ部４１よりも、左右方向外方に突出している。
【００８８】
そして、感光ドラム３のドラム本体４０は、ドラム軸４３の左右両端部が１対のドラム側壁３０の後方部分に支持されることにより、ドラム軸４３の中心軸線Ａを回転中心として、回転可能である。なお、ドラム本体４０は、上記の画像形成動作時において、図示しない駆動源からの駆動力を、左方のフランジ部４１Ｌを介して受ける。これによって、ドラム本体４０は、図２および図３に示すように、左側面視時計回り方向に回転する。
【００８９】
転写ローラ４は、図２に示すように、転写収容部３３内に収容されている。転写ローラ４は、左右方向に延びる略円柱形状を有している。転写ローラ４は、その左右両端部が１対のドラム側壁３０に回転可能に支持されることによって、ドラムフレーム２に支持されている。転写ローラ４の上端部は、ドラムフレーム２のドラム本体４０の下端部に接触している。
【００９０】
スコロトロン型帯電器５は、帯電収容部３４内に配置され、帯電収容部３４に支持されている。そして、スコロトロン型帯電器５は、ドラムフレーム２のドラム本体４０に対して上方に間隔を空けて配置されている。
（３）クリーニングユニット
クリーニングユニット５０は、クリーナー収容部３５内に収容されており、ドラム本体４０の後方に配置されている。
【００９１】
クリーニングユニット５０は、図２、図４および図７Ｂに示すように、クリーニングフレーム５１と、クリーニングローラ６と、回収ローラ５２と、スポンジスクレーパ５４と、電極部材の一例としてクリーニング電極５３と、被覆部の一例としてのフィルム部材５７とを備えている。
【００９２】
クリーニングフレーム５１は、図２に示すように、不透明であり、かつ、光を反射する色を有する樹脂、具体的には、白色樹脂からなる。クリーニングフレーム５１は、フレーム本体５５と、カバーの一例としてのライトガイド支持部５６とを一体に有している。つまり、ライトガイド支持部５６は、クリーニングフレーム５１の一部である。
【００９３】
フレーム本体５５は、前方に向かって開放される略ボックス形状を有している。
【００９４】
ライトガイド支持部５６は、フレーム本体５５の底壁５５Ａに対して前方に隣接配置され、フレーム本体５５の底壁５５Ａの前端部に接続されている。
【００９５】
ライトガイド支持部５６は、反射部６０と、底板部６２と、側板部６１と、突条６３とを有している。
【００９６】
反射部６０は、ライトガイド支持部５６の後端部である。反射部６０は、左右方向の延びる正面視略矩形の板状を有しており、上下方向に沿う平坦状である。そして、反射部６０の後面における上下方向の略中央部分は、フレーム本体５５の底壁５５Ａの前端部に接続されている。
【００９７】
底板部６２は、図４に示すように、ライトガイド支持部５６の下端部である。底板部６２は、左右方向に延びる底面視略矩形の板状を有しており、図２に示すように、反射部６０の下端部から前方に向かって延びている。
【００９８】
側板部６１は、図４に示すように、ライトガイド支持部５６の左端部である。側板部６１は、側面視略矩形の板状を有しており、反射部６０の左端部から前方に向かって延びている。また、側板部６１の下端部は、底板部６２の左端部に接続されている。これによって、側板部６１は、ライトガイド支持部５６の左端部を閉鎖している。なお、ライトガイド支持部５６の右端部は、右方に向かって開放されている。
【００９９】
突条６３は、図２に示すように、側面視略矩形を有しており、側板部６１の上端部から前方に向かって突出している。突条６３は、反射部６０の左右方向の全体にわたって延びている。
【０１００】
これによって、反射部６０、底板部６２および突条６３は、側面視において、ドラム本体４０に向かって開放される略Ｕ字状を有している。
【０１０１】
クリーニングローラ６は、ライトガイド支持部５６の上方において、その後方部分がフレーム本体５５内に臨み、その前方部分がフレーム本体５５から露出するように配置されている。クリーニングローラ６は、左右方向に延びる略円柱形状を有している。そして、クリーニングローラ６は、その左右両端部が、フレーム本体５５の左右両側壁に回転可能に支持されることによって、クリーニングフレーム５１に支持されている。クリーニングローラ６の前下端部は、ドラム本体４０の後上端部に接触している。
【０１０２】
回収ローラ５２は、フレーム本体５５内において、クリーニングローラ６の後上方に配置されている。回収ローラ５２は、左右方向に延びる略円柱形状を有している。そして、回収ローラ５２は、その左右両端部が、フレーム本体５５の左右両側壁に回転可能に支持されることによって、クリーニングフレーム５１に支持されている。回収ローラ５２の前下端部は、クリーニングローラ６の後上端部と接触している。
【０１０３】
スポンジスクレーパ５４は、フレーム本体５５内において、フレーム本体５５の上壁と回収ローラ５２との間に挟まれている。そして、スポンジスクレーパ５４は、フレーム本体５５の上壁の下面に固定されており、スポンジスクレーパ５４の下面は、回収ローラ５２の上方部分と接触している。
【０１０４】
クリーニング電極５３は、図７Ｂに示すように、クリーニングユニット５０にバイアスを供給するように構成されている。クリーニング電極５３は、第１電極５３Ａと、第２電極５３Ｂとを備えている。
【０１０５】
第１電極５３Ａおよび第２電極５３Ｂのそれぞれは、例えば、導電性の樹脂材料からなり、対応する電極露出穴４６を介して右方から露出するように、右方のドラム側壁３０の後端部に配置されている。つまり、クリーニング電極５３は、図７Ｂおよび図８に示すように、ドラム本体４０の画像形成領域Ｔ１に対して右方に配置されている。
【０１０６】
第１電極５３Ａは、図示しないが、クリーニングローラ６の右端部に電気的に接続されている。第２電極５３Ｂは、図示しないが、回収ローラ５２の右端部に電気的に接続されている。
【０１０７】
フィルム部材５７は、図２に示すように、クリーニングローラ６と、ライトガイド支持部５６との上下方向の間に配置されている。フィルム部材５７は、公知の樹脂フィルムからなり、左右方向に延びる平面視略矩形状を有している。そして、フィルム部材５７は、その後端部が突条６３の上面に固定されることにより、ライトガイド支持部５６に支持されている。これにより、フィルム部材５７は、反射部６０からドラム本体４０に向かって突出している。
【０１０８】
このようなクリーニングユニット５０は、上記の画像形成動作において、後述する除電動作の後、ドラム本体４０上に付着している紙粉などの付着物を除去するとともに回収する。そこで、クリーニングユニット５０のクリーニング動作について説明する。
【０１０９】
クリーニングユニット５０のクリーニング動作では、図７Ａに示すように、第１電極５３Ａおよび第２電極５３Ｂのそれぞれは、装置本体１２が備える図示しない本体基板から、図示しない本体電極を介してバイアスが供給される。
【０１１０】
これによって、クリーニングローラ６は、第１電極５３Ａを介して、バイアスが印加され、ドラム本体４０の表面電位よりも高い正極性に帯電される。また、回収ローラ５２は、第２電極５３Ｂを介して、バイアスが印加され、クリーニングローラ６よりも高い正極性に帯電される。
【０１１１】
そして、クリーニングローラ６は、図２に示すように、ドラム本体４０上に付着している紙粉を、ドラム本体４０から回収する。つまり、クリーニングローラ６は、感光ドラム３の周面に付着する付着物を除去する。
【０１１２】
その後、回収ローラ５２は、クリーニングローラ６に回収された紙粉を、クリーニングローラ６から回収する。次いで、スポンジスクレーパ５４が、回収ローラ５２上の紙粉を掻き落とす。これによって、紙粉が、フレーム本体５５内に貯留される。
（４）ライトガイド
ライトガイド７は、ライトガイド支持部５６に支持されており、クリーニングローラ６の下方かつドラム本体４０の後方に配置されている。
【０１１３】
ライトガイド７は、例えば、無色透明のアクリル樹脂からなる。ライトガイド７は、図５Ｂに示すように、略Ｌ字の棒状を有しており、第１部分７０と、第２部分７１と、第３部分の一例としての光路変換面７２とを有している。
【０１１４】
第１部分７０は、ライトガイド７の右端部であって、図７Ａに示すように、前上方および後下方を結ぶ方向である第１方向Ｘに延びる略円柱形状を有している。つまり、第１部分７０は、左右方向と直交する方向へ延びている。また、第１部分７０は、入射面７０Ａを有している。
【０１１５】
入射面７０Ａは、第１部分７０の後下方の端面であって、図５Ｂに示すように、第１方向Ｘと直交する平坦面である。
【０１１６】
第２部分７１は、図５Ａに示すように、左右方向に延びる略棒状を有している。また、第２部分７１の右端部は、第１部分７０における入射面７０Ａと反対の端部に接続されている。そのため、第１部分７０と第２部分７１とは、略直交している。第２部分７１の左右方向の寸法は、ライトガイド支持部５６の左右方向の寸法よりも大きく、第２部分７１の上下方向の寸法は、図２に示すように、ライトガイド支持部５６の底板部６２と突条６３との上下方向の間の間隔と略同じである。
【０１１７】
第２部分７１は、詳しくは、透過部の一例としての円弧面７５と、上面７６と、下面７７と、背面部の一例としての背面７８とを有している。
【０１１８】
円弧面７５は、第２部分７１の前面であって、前方に向かって膨出する側面視略半円弧形状の曲面である。上面７６は、第２部分７１の上面であって、円弧面７５の上端部から連続して、後方に向かって延びる平坦面である。下面７７は、第２部分７１の下面であって、円弧面７５の下端部から連続して、後方に向かって延びる平坦面である。
【０１１９】
背面７８は、第２部分７１の後面であって、上面７６および下面７７の後端部間を上下方向に沿って連結する平坦面である。背面７８は、図５Ａおよび図８に示すように、粗面部７９を有している。
【０１２０】
粗面部７９は、背面７８の上下方向略中央部分に配置されている。粗面部７９は、背面７８から前方に向かって窪んでおり、その窪んだ部分に微小な凹凸を有する粗面（梨地面）として構成されている。このような粗面部７９は、例えば、シボ加工（エッチング加工）などにより形成される。なお、図５Ａおよび図８では、粗面部７９を、周囲の背面７８から区別するため、粗面部７９にハッチングが付されている。
【０１２１】
また、粗面部７９は、左右方向に延びており、その左右方向の寸法は、背面７８の左右方向の寸法に対して、例えば、略９／１０である。粗面部７９は、詳しくは、最小幅部分８３と、漸増部分８４と、最大幅部分８５と、漸減部分８６とを有している。
【０１２２】
最小幅部分８３は、粗面部７９の右方部分であって、粗面部７９の右端縁から左方に向かって、粗面部７９の左右方向の略中央部分まで延びている。つまり、最小幅部分８３の左右方向の寸法は、粗面部７９の左右方向の寸法に対して、略１／２である。最小幅部分８３の上下方向の寸法は、背面７８の上下方向の寸法に対して、例えば、略１／３であり、最小幅部分８３の左右方向の全体にわたって一定である。なお、最小幅部分８３の右端縁、つまり粗面部７９の右端縁は、第２部分７１の右端部よりも左方に間隔を空けて配置されている。
【０１２３】
漸増部分８４は、最小幅部分８３の左端部から連続して左方に向かって延びており、左方に向かうにつれて上下方向の寸法が大きくなるように広がっている。つまり、漸増部分８４は、右方から左方に向かうにつれて、上下方向の寸法が増大する。また、漸増部分８４の左右方向の寸法は、背面７８の左右方向の寸法に対して、略１／７である。
【０１２４】
最大幅部分８５は、漸増部分８４の左端部から連続して左方に向かって延びている。最大幅部分８５の左右方向の寸法は、背面７８の左右方向の寸法に対して、略１／４である。最大幅部分８５の上下方向の寸法は、背面７８の上下方向の寸法に対して、例えば、略９／１０であり、最大幅部分８５の左右方向の全体にわたって一定である。
【０１２５】
漸減部分８６は、粗面部７９の左端部であって、最大幅部分８５の左端部から連続して、左方に向かって延びている。漸減部分８６は、左方に向かうにつれて、上下方向の寸法が小さくなるように狭まっている。つまり、漸減部分８６は、最大幅部分８５を挟んで、漸増部分８４と左右方向に並ぶように配置されており、右方から左方に向かうにつれて、上下方向の寸法が減少する。また、漸減部分８６の左右方向の寸法は、粗面部７９の左右方向の寸法に対して、略１／１０である。なお、漸減部分８６の左端縁、つまり粗面部７９の左端縁は、第２部分７１の左端面よりも右方に間隔を空けて配置されている。
【０１２６】
また、粗面部７９は、左右方向において一定の表面粗さ（面粗度）を有している。なお、粗面部７９の表面粗さは、公知の接触式表面粗さ測定器などにより測定できる。
【０１２７】
光路変換面７２は、図５Ｂに示すように、第１部分７０と第２部分７１との接続部分に配置されている。光路変換面７２は、第１部分７０と第２部分７１との接続部分における右端部が、左右方向に対して略４５°傾斜するように切り欠かれている。つまり、光路変換面７２は、第１部分７０と第２部分７１との間に配置されており、左右方向に対して略４５°傾斜する傾斜面である。
【０１２８】
光路変換面７２は、図４に示すように、第１方向Ｘから見て、左右方向に延びる楕円形状を有している。また、光路変換面７２の左右方向の寸法は、図５Ｂに示すように、第１部分７０の左右方向の寸法と略同じであり、光路変換面７２の前後方向の寸法は、第２部分７１の前後方向の寸法と略同じである。そのため、光路変換面７２は、第１方向Ｘから見て第１部分７０と一致するように配置され、左右方向から見て第２部分７１と一致するように配置されている。
【０１２９】
そして、ライトガイド７は、図４に示すように、第２部分７１がライトガイド支持部５６に収容されることにより、クリーニングローラ６の下方において、クリーニングフレーム５１に支持されている。
【０１３０】
詳しくは、ライトガイド７の左端部は、ライトガイド支持部５６の側板部６１の右面に接触し、ライトガイド７の下面７７は、底板部６２の上面に接触し、ライトガイド７の背面７８は、反射部６０の前面に接触している。また、ライトガイド７の上面７６は、図２に示すように、フィルム部材５７の下方に僅かな間隔を空けて配置されており、フィルム部材５７に上方から覆われている。
【０１３１】
これによって、第２部分７１は、図２および図８に示すように、ドラム本体４０の画像形成領域Ｔ１に対して、後方に間隔を空けて向かい合っている。これによって、第２部分７１の円弧面７５は、ドラム本体４０の画像形成領域Ｔ１と対向し、ドラム本体４０に向かって突出している。つまり、ライトガイド７の背面７８は、円弧面７５に対して、ドラム本体４０の反対に配置されており、ライトガイド支持部５６の反射部６０は、背面７８に対して、ドラム本体４０の反対に配置されている。
【０１３２】
第１部分７０および光路変換面７２は、図４に示すように、ライトガイド支持部５６の右端部よりも右方に位置しており、図８に示すように、ドラム本体４０の右方の非画像形成領域Ｔ２に対して後方に間隔を空けて向かい合っている。つまり、第１部分７０および光路変換面７２は、ドラム本体４０の画像形成領域Ｔ１よりも右方に配置されている。
【０１３３】
また、第１部分７０および光路変換面７２は、図７Ａに示すように、クリーナー収容部３５内において、収容部底壁３６の傾斜部３６Ｂの前上方に間隔を空けて配置されている。つまり、ライトガイド７は、クリーナー収容部３５内に収容されている。そして、第１部分７０の入射面７０Ａは、傾斜部３６Ｂの開口３７と、第１方向Ｘに向かい合っている。
【０１３４】
４．装置本体の詳細
装置本体１２は、図３に示すように、光源９０を備えている。
【０１３５】
光源９０は、図７Ｂに示すように、装置本体１２に装着されたドラムカートリッジ１の後下端部における右端部に対して、後下方に配置されている。
【０１３６】
光源９０は、図７Ａおよび図７Ｂに示すように、台座部９３と、挿入部９４と、発光ユニット９２とを備えている。
【０１３７】
台座部９３は、光源９０の後下方部分であって、左右方向に延びる略三角柱形状を有している。詳しくは、台座部９３の下面は、前後方向に延び、台座部９３の前上面は、台座部９３の下面の前端部から連続して、後上方に延び、台座部９３の後上面は、台座部９３の前上面の上端部から連続して、後下方に延びている。
【０１３８】
台座部９３の左右方向の寸法は、１対のリブ３８の左右方向の間の間隔よりも大きい。
【０１３９】
挿入部９４は、光源９０の前上方部分であって、台座部９３の前上面に配置されている。挿入部９４は、前下方および後上方を結ぶ方向に延びる側面視矩形状の略ボックス形状を有している。挿入部９４の左右方向の寸法は、１対のリブ３８の左右方向の間の間隔よりも小さい。
【０１４０】
また、挿入部９４は、図７Ａに示すように、挿通穴９５を有している。挿通穴９５は、第１方向Ｘから見て略円形状を有しており、挿入部９４の前上壁を第１方向Ｘに貫通している。
【０１４１】
発光ユニット９２は、挿入部９４内に収容されており、基板部９６と、筒部９７と、発光部９８と、レンズ部９９とを備えている。
【０１４２】
基板部９６は、前下方および後上方を結ぶ方向に延びる略板状を有しており、図示しない本体基板と電気的に接続されている。筒部９７は、第１方向Ｘに延びる略円筒形状を有しており、基板部９６の前上面に配置されている。
【０１４３】
発光部９８は、筒部９７内において、基板部９６に固定されており、例えば、ＬＥＤを備えるＬＥＤライトである。発光部９８は、基板部９６と電気的に接続されており、前上方に向かって光Ｌを出射するように構成されている。
【０１４４】
レンズ部９９は、筒部９７内において発光部９８の前上方に配置されており、筒部９７に支持されている。レンズ部９９は、例えば、前上方に向かって膨出する凸レンズである。
【０１４５】
そして、発光ユニット９２は、筒部９７の前上端部が挿通穴９５に挿入されるように、挿入部９４内に収容されている。
【０１４６】
このような光源９０は、ドラムカートリッジ１が装置本体１２に装着された状態において、収容部底壁３６の傾斜部３６Ｂに対して、後下方に並ぶように配置される。
【０１４７】
そして、光源９０の挿入部９４は、図７Ｂに示すように、１対のリブ３８の左右方向の間に挿入される。これによって、挿入部９４の挿通穴９５が、図７Ａに示すように、傾斜部３６Ｂの開口３７の後下方に配置され、発光部９８が、第１部分７０の入射面７０Ａに対して、第１方向Ｘに間隔を空けて向かい合う。
【０１４８】
なお、装置本体１２は、その左側壁に図示しない駆動源を備えており、その右側壁に図示しない本体基板および本体電極を備えている。
【０１４９】
５．除電動作
上記の画像形成動作において、感光ドラム３のドラム本体４０の周面には、感光ドラム３からトナー像を用紙Ｐに転写した後、電荷が残留する場合がある。そこで、感光ドラム３の残留する電荷を除去するための除電動作について説明する。
【０１５０】
感光ドラム３の除電動作では、光源９０の発光部９８は、図７Ａに示すように、図示しない本体基板から電力が供給されることにより、ドラム本体４０を除電するための光Ｌを、前上方に向かって出射する。すると、発光部９８からの光Ｌは、レンズ部９９を透過した後、傾斜部３６Ｂの開口３７を通過し、第１部分７０の入射面７０Ａから第１部分７０内に入射する。
【０１５１】
第１部分７０内に入射された光Ｌは、図５Ｂに示すように、第１部分７０内を第１方向Ｘに沿って、前上方に進行し、光路変換面７２に到達する。
【０１５２】
すると、光路変換面７２は、第１部分７０内を通過した光Ｌを、光Ｌの進行方向（進む方向）が前上方から左方に変更されるように、略９０°反射する。これによって、第１部分７０内を通過した光Ｌは、第２部分７１に向かうように導かれる。その後、光路変換面７２に反射された光Ｌは、第２部分７１内を左方に向かって進行する。
【０１５３】
このとき、背面７８の粗面部７９は、図２に示すように、第２部分７１内を進行する光Ｌを、円弧面７５に向かって前方に反射する。
【０１５４】
また、反射部６０は、粗面部７９に反射されず粗面部７９を後方に向かって通過した光、および、背面７８における粗面部７９以外の部分を後方に向かって通過した光を、第２部分７１に向かって前方に反射する。
【０１５５】
そのため、粗面部７９および反射部６０のそれぞれに反射された光Ｌは、前方に向かって進行し、円弧面７５を透過した後、ドラム本体４０の周面を照射する。
【０１５６】
これによって、ドラム本体４０の周面に残存する電荷が除去される。
【０１５７】
６．作用効果
（１）ライトガイド７の第１部分７０は、図５Ｂに示すように、光源９０から入射された光Ｌを第１方向Ｘへ進むように導き、ライトガイド７の光路変換面７２は、第１部分７０を通過した光Ｌを、第２部分７１に向かうように、光Ｌの進む方向を変更する。その後、ライトガイド７の第２部分７１は、図２に示すように、その内部を進行する光Ｌを感光ドラム３の表面に導く。これによって、感光ドラム３の表面の電荷が除去される。
【０１５８】
つまり、ライトガイド７の第１部材と光源９０とを、図７Ａおよび図８に示すように、左右方向と交差する第１方向Ｘに並ぶように配置することにより、感光ドラム３の表面の電荷を除去できる。
【０１５９】
そのため、ライトガイド７と光源９０とを左右方向に並ぶように配置する必要がないので、プリンタ１１の左右方向の小型化を図ることができる。
（２）第１部分７０と第２部分７１とは、図５Ｂに示すように、略直交している。そのため、第１部分７０と光源９０とを、図７Ａに示すように、左右方向と直交する方向に並ぶように配置することにより、プリンタ１１の左右方向の小型化を確実に図ることができる。
（３）第１部分７０および光路変換面７２が、図８に示すように、画像形成領域Ｔ１よりも左右方向の外方に配置されている。そのため、第１部分７０および光路変換面７２が、静電潜像の形成の邪魔になることを低減できる。
（４）光路変換面７２は、図５Ｂに示すように、左右方向に対して略４５°傾斜する傾斜面である。そのため、傾斜面である光路変換面７２は、第１部分７０を通過した光Ｌの進む方向を、第２部分７１に向かうように確実に変更できる。
（５）第２部分７１は、図２および図５Ａに示すように、円弧面７５および背面７８を有している。そのため、第２部分７１に導かれた光Ｌは、図２に示すように、背面７８の粗面部７９により、感光ドラム３に向かって反射された後、円弧面７５を透過し、感光ドラム３の表面を照射する。その結果、光源９０からの光Ｌを、確実に感光ドラム３の表面に導くことができる。
（６）円弧面７５は、図２に示すように、感光ドラム３に向かって突出する曲面である。そのため、第２部分７１の内部から円弧面７５を透過する光Ｌは、円弧面７５で一様に屈曲する。そのため、光Ｌを感光ドラム３の表面に均一に照射することができる。
（７）背面７８は、平坦状であるので、背面７８が有する粗面部７９は、第２部分７１内の光Ｌを確実に感光ドラム３に向かって反射させることができる。また、背面７８および反射部６０が、それぞれ平坦状であるので、背面７８と反射部６０とを面接触させることができる。そのため、背面７８からの光の漏れを低減することができ、円弧面７５からの光Ｌの照射効率の向上を図ることができる。
（８）粗面部７９は、図５Ａに示すように、漸増部分８４および漸減部分８６を有している。そのため、左右方向において、粗面部７９の上下方向の寸法を変更できる。その結果、左右方向において、粗面部７９による反射光量を適宜調整することができる。
（９）反射部６０は、図２に示すように、背面７８に対して感光ドラム３の反対に配置されている。そのため、反射部６０は、ライトガイド７の粗面部７９で反射されずに通過した光Ｌを、ライトガイド７内へ向けて反射する。その結果、第２部分７１において、円弧面７５以外の部分を、光Ｌが透過することを抑制でき、第２部分７１から感光ドラム３の表面に照射される光Ｌの光量の向上を図ることができる。
（１０）フィルム部材５７は、図２に示すように、第２部分７１を上方から覆っている。そのため、第２部分７１において、円弧面７５以外の部分を、光Ｌが通過することを確実に抑制できる。また、フィルム部材５７は、クリーニングローラ６と第２部分７１との上下方向の間に配置されているので、フィルム部材５７は、上記のクリーニング動作において、ドラム本体４０およびクリーニングローラ６から落下した紙粉などが、ライトガイド７の第２部分７１を汚すことを低減できる。
（１１）ライトガイド支持部５６は、図２に示すように、不透明であり、かつ、光Ｌを反射する色を有している。そのため、ライトガイド支持部５６に備えられる反射部６０は、背面７８を通過した光Ｌをライトガイド７内へ確実に反射することができる。
（１２）ドラムカートリッジ１は、図２に示すように、クリーニングローラ６を備えている。そのため、感光ドラム３の周面に付着する紙粉などの付着物を除去することができる。また、ライトガイド支持部５６は、クリーニングフレーム５１の一部であるので、ライトガイド７の第２部分７１は、クリーニングフレーム５１の一部に収容されている。
【０１６０】
そのため、クリーニングローラ６およびライトガイド７の第２部分７１のそれぞれを、確実に感光ドラム３の近傍に配置することができ、クリーニングローラ６および第２部分７１の効率的な配置を確保することができる。
（１３）光路変換面７２は、図４に示すように、クリーニングフレーム５１よりも右方に配置されている。そのため、クリーニングフレーム５１よりも右方において、第１部分７０を通過した光Ｌの進む方向を変更することができる。その結果、第１部分７０の配置の自由度の向上を図ることができる。
（１４）クリーニングフレーム５１は、図２に示すように、ドラムフレーム２内に配置されている。そのため、ドラムフレーム２に収容される感光ドラム３と、クリーニングフレーム５１に支持されるクリーニングローラ６およびライトガイド７の第２部分７１のそれぞれとの相対的な位置決め精度の向上を図ることができる。
【０１６１】
また、ライトガイド７の光路変換面７２は、図７Ａに示すように、ドラムフレーム２内に配置されている。そのため、ドラムフレーム２内のスペースを有効に利用でき、光路変換面７２の効率的な配置を確保することができる。
（１５）ライトガイド７の第１部分７０は、図８に示すように、ドラム本体４０の画像形成領域Ｔ１に対して右方に配置され、係合凹部４２を有する左方のフランジ部４１Ｌが、ドラム本体４０の画像形成領域Ｔ１に対して左方に配置されている。
【０１６２】
そのため、第１部分７０および左方のフランジ部４１Ｌのそれぞれを、左右方向において、画像形成領域Ｔ１を挟むように配置できる。その結果、第１部分７０および左方のフランジ部４１Ｌのそれぞれを、左右方向においてバランスよく配置できる。
【０１６３】
また、装置本体１２は、その左側壁において、図示しない駆動源を備えている。そのため、係合凹部４２を有する左方のフランジ部４１Ｌを、図示しない駆動源の近傍に配置することができる。その結果、図示しない駆動源から、左方のフランジ部４１Ｌに駆動を伝達する構成をコンパクトにすることができる。
（１６）クリーニング電極５３および第１部分７０のそれぞれは、図７Ａ、図７Ｂおよび図８に示すように、ドラム本体４０の画像形成領域Ｔ１に対して右方に配置されている。そのため、クリーニング電極５３と第１部分７０との相対的な位置精度の向上を図ることができる。
【０１６４】
そのため、クリーニング電極５３と図示しない本体電極との相対的な位置決め精度、および、第１部分７０と光源９０との位置決め精度のそれぞれの向上を図ることができる。そのため、クリーニング電極５３が図示しない本体電極からバイアスを確実に受けることができるとともに、第１部分７０が光源９０から光Ｌを確実に受け入れることができる。
【０１６５】
また、装置本体１２は、その右側壁において、図示しない基板を備えている。そして、図示しない基板は、クリーニング電極５３および光源９０のそれぞれに電力を供給する。そのため、クリーニング電極５３および第１部分７０のそれぞれを、ドラム本体４０の画像形成領域Ｔ１に対して、右方に配置することにより、クリーニング電極５３と光源９０とを、図示しない基板の近傍に配置することができる。その結果、図示しない基板から、クリーニング電極５３および光源９０に電力を伝達する構成を簡易にすることができる。
【０１６６】
７．第２実施形態
次に、図１０〜図１２Ｂを参照して、本発明の第２実施形態を説明する。なお、第２実施形態において、上記した第１実施形態と同様の部材には同様の符号を付し、その説明を省略する。
【０１６７】
第２実施形態では、図１２Ｂに示すように、ドラムフレーム２が係合部１１１を備え、ライトガイド７の第１部分７０が、ドラムフレーム２の係合部１１１に係合されている。
【０１６８】
詳しくは、係合部１１１は、図１１に示すように、ドラムフレーム２のクリーナー収容部３５に備えられており、クリーナー収容部３５内の右端部に配置されている。係合部１１１は、壁部１１０と、第１係合部の一例としての第１係合リブ１１２と、第２係合部の一例としての第２係合リブ１１３とを備えている。
【０１６９】
壁部１１０は、右方のドラム側壁３０に対して、左方に間隔を空けて向かい合うように配置されている。壁部１１０は、側面視略矩形の板形状を有しており、傾斜部３６Ｂの上面における左端部から、上方に向かって延びている。
【０１７０】
第１係合リブ１１２は、壁部１１０の右面における前端部に配置されている。第１係合リブ１１２は、上下方向に延びる正面視略矩形状を有しており、壁部１１０から右方に向かって突出している。また、第１係合リブ１１２の下端部は、傾斜部３６Ｂに接続されている。
【０１７１】
第２係合リブ１１３は、第１係合リブ１１２に対して右方に間隔を空けて向かい合うように、右方のドラム側壁３０の左面に配置されている。つまり、第１係合リブ１１２および第２係合リブ１１３は、左右方向に互いに間隔を空けて配置されている。第２係合リブ１１３は、上下方向に延びる正面視略矩形状を有しており、右方のドラム側壁３０から左方に突出している。また、第２係合リブ１１３の下端部は、傾斜部３６Ｂに接続されている。
【０１７２】
また、第２実施形態において、ライトガイド７の第１部分７０は、図１０に示すように、第１方向Ｘに延びる略角柱形状を有している。また、第１部分７０の左右方向の寸法は、図１２Ａに示すように、第１係合リブ１１２と第２係合リブ１１３との左右方向の間の間隔と略同じである。
【０１７３】
そして、ライトガイド７の第１部分７０は、図１２Ｂに示すように、ライトガイド７がクリーナー収容部３５内に収容されている状態において、入射面７０Ａが開口３７と向かい合うように、第１係合リブ１１２と第２係合リブ１１３との間に挿入されている。つまり、ライトガイド７の第１部分７０は、左右方向において、第１係合リブ１１２と第２係合リブ１１３との間に挟まれている。
【０１７４】
このような第２実施形態によれば、ドラムフレーム２が、図１２Ｂに示すように、開口３７および係合部１１１を備え、係合部１１１が、ライトガイド７の第１部分７０と係合する。そのため、ライトガイド７の第１部分７０の開口３７に対する位置精度の向上を図ることができる。その結果、光源９０からの光を、開口３７を介して、第１部分７０に確実に入射させることができる。
【０１７５】
また、ライトガイド７の第１部分７０は、第１係合リブ１１２および第２係合リブ１１３により、左右方向に挟まれている。そのため、左右方向において、ライトガイド７の第１部分７０の開口３７に対する位置精度のさらなる向上を図ることができる。
【０１７６】
また、第２実施形態によっても、上記の第１実施形態と同様の作用効果を奏することができる。
【０１７７】
８．変形例
（１）上記の第１実施形態では、フィルム部材５７が、図２に示すように、ライトガイド７の上方に配置され、ライトガイド７の上面７６を上方から覆っているがこれに限定されず、ライトガイド支持部５６が、図９Ａおよび図９Ｂに示すように、被覆部の一例としての上部１００を一体に有していてもよい。
【０１７８】
上部１００は、反射部６０の上端部から、ドラム本体４０に向かって前方に突出している。上部１００の左端部は、側板部６１の上端部に接続されている。
【０１７９】
これによって、ライトガイド支持部５６は、前方に向かって開放される側面視略Ｕ字状を有しており、ライトガイド７の上面７６は、上部１００により上方から覆われている。
（２）上記の第１実施形態では、ライトガイド７は、図２に示すように、ドラム本体４０の回転方向において、クリーニングローラ６に対して上流に配置されているが、ライトガイド７の配置は、ドラム本体４０の回転方向において、転写ローラ４の下流かつスコロトロン型帯電器５の上流であれば、特に制限されない。
【０１８０】
例えば、ライトガイド７は、ドラム本体４０の回転方向において、クリーニングローラ６の下流かつスコロトロン型帯電器５の上流に配置することもできる。この場合、クリーニングローラ６がドラム本体４０の周面に付着する付着物を除去した後、上記の除電動作により、ドラム本体４０に残留する電荷が除去される。
（３）上記の第１実施形態では、プロセスカートリッジ１３は、ドラムカートリッジ１と、ドラムカートリッジ１に着脱可能な現像カートリッジ２０とから構成されているが、プロセスカートリッジ１３は、ドラムカートリッジ１および現像カートリッジ２０が一体として構成されていてもよい。この場合、プロセスカートリッジ１３が、感光体カートリッジの一例として対応する。
（４）上記の第１実施形態では、粗面部７９は、図５Ａに示すように、左右方向において一定の面粗度を有する粗面であるが、粗面部７９は、左右方向において表面粗さが異なるように構成することもできる。
【０１８１】
例えば、粗面部７９において、最大幅部分８５の表面粗さが最も大きく、最小幅部分８３の表面粗さが最も小さくなるように構成できる。これによって、左右方向において、粗面部７９による反射光量を、より一層精度よく調整することができる。
【０１８２】
なお、粗面部７９の表面粗さが、左右方向において異なる場合、粗面部７９の上下方向の寸法は、左右方向において一定であってもよい。これによっても、左右方向において、粗面部７９による反射光量を、適宜調整できる。
（５）上記の第２実施形態では、係合部１１１が、図１１に示すように、壁部１１０、第１係合リブ１１２および第２係合リブ１１３を備えているが、係合部１１１は、ライトガイド７の第１部分７０と係合できれば、その構成は特に制限されない。例えば、係合部１１１は、傾斜部３６Ｂにおける開口３７の周縁から、前上方に突出する筒状部材であってもよい。この場合、ライトガイド７の第１部分７０は、係合部１１１内に挿入される。
【０１８３】
これら変形例によっても、上記の第１実施形態および第２実施形態と同様の作用効果を奏することができる。なお、上記の第１実施形態、第２実施形態および変形例は、適宜組み合わせることができる。
【符号の説明】
【０１８４】
１      ドラムカートリッジ
２      ドラムフレーム
３      感光ドラム
６      クリーニングローラ
７      ライトガイド
１１    プリンタ
３７    開口
５１    クリーニングフレーム
５６    ライトガイド支持部
５７    フィルム部材
６０    反射部
７０    第１部分
７１    第２部分
７２    光路変換面
７５    円弧面
７８    背面
８４    漸増部分
８６    漸減部分
９０    光源
１００  上部
１１１  係合部
１１２  第１係合リブ
１１３  第２係合リブ
Ａ      感光ドラムの中心軸線
Ｔ１    ドラム本体の画像形成領域
【図１】
2015200864.tif 000003
【図２】
2015200864.tif 000004
【図３】
2015200864.tif 000005
【図４】
2015200864.tif 000006
【図５】
2015200864.tif 000007
【図６】
2015200864.tif 000008
【図７】
2015200864.tif 000009
【図８】
2015200864.tif 000010
【図９】
2015200864.tif 000011
【図１０】
2015200864.tif 000012
【図１１】
2015200864.tif 000013
【図１２】
2015200864.tif 000014